(57)【要約】【課題】  従来における積層フィルタの周波数特性にあっては、共振器間接合と容量結合強化パターンによる並列共振と、マルチパス容量を入れることによってトラップ回路を構成したものにあっては、減衰極が通過帯域の低周波側に１つ、高周波側に２つしかできず、また、フィルタで重要な特性の１つである高周波帯域における減衰特性が十分でないといった問題があった。【解決手段】  積層フィルタを構成するアースパターン５ａが形成された誘電体層５に、前記アースパターンの少なくとも何れか一方の端部から入出力パターンに向けて延びる突出パターン５ａ1 を形成し、該突出パターンそのものによるインダクタンスと、前記突出パターンと入出力パターンとの間によって形成されるキャパシタンスとの直列共振回路を、等価回路における何れかの入出力端子との間に形成した積層フィルタである。【選択図】        図１
2006054598.tif 000002
【特許請求の範囲】
【請求項１】
積層フィルタを構成するアースパターンが形成された誘電体層に、前記アースパターンの少なくとも何れか一方の端部から入出力パターンに向けて延びる突出パターンを形成し、該突出パターンそのものによるインダクタンスと、前記突出パターンと入出力パターンとの間によって形成されるキャパシタンスとの直列共振回路を、等価回路における何れかの入出力端子との間に形成したことを特徴とする積層フィルタ。
【発明の詳細な説明】
【技術分野】
【０００１】
本発明は、通信機器等に用いる積層フィルタであって、特に、周波数特性における減衰極を増やすことで所望の周波数での減衰特性を改善することが可能な積層フィルタに関する。
【背景技術】
【０００２】
従来における積層フィルタとしては、例えば、特開平８−２１３８０５号公報に開示された発明がある。この発明は、セラミックシートを積層する場合において、各セラミックシートに印刷されている各パターンのズレを防止するために確認用マーカが形成され、前記確認用マーカの位置を側面から見ながら積層することで印刷ズレを防止することを要旨とするものであるが、この積層フィルタを等価回路に変換して考えると、高周波特性が十分に得られないといった問題が生じた。
【特許文献１】特開平８−２１３８０５号公報
【０００３】
ここで、前記した特開平８−２１３８０５号公報に開示されている積層フィルタの構成が複雑であることから、本発明と同一出願人が出願した特願２００３−１８７４８４の図５（積層フィルタの積層構造を示す説明斜視図）および図６（図５を積層した状態の外観斜視図）に示す簡単な積層フィルタに置き換えて説明する。図５において、１は保護層を兼ねる第１の誘電体槽、２は略全面積にアースパターン２ａが形成された第２の誘電体槽、３は一端が長辺に露出した３本の内部アースパターン３ａと、該内部アースパターン３ａから離れた位置で長辺と平行するＣ結パターン３ｂとが形成された第３の誘電体槽、４は一端が前記した長辺とは対抗する長辺側に露出する共振器を兼ねる３本の平行なストリップラインパターン４ａと、該ストリップラインパターン４ａにおける第１と第３のストリップラインパターン４ａ1 ，４ａ3 に一端が接続され他端が左右の短辺に露出する入出力パターン４ｂと、前記ストリップラインパターン４ａにおける第２と第３のストリップラインパターン４ａ2 ，４ａ3 との間を接続するＭ結パターン４ｃとが形成された第４の誘電体層、５は前記した第２の誘電体層４と同じアースパターン５ａが形成された第５の誘電体層である。
【０００４】
そして、前記第１〜第５の誘電体層１〜５を積層した状態において、前記第４の入出力パターン４ｂと外部回路の入出力端子と接続するための外部入出力電極６が積層した誘電体層１〜５の側面に形成されている。なお、第５の誘電体層５の裏面側にもプリント基板に半田付けするための電極６′が一体的に形成されている。また、図１に示した第４の誘電体層４に形成されているストリップラインパターン４ａの一端と第２の誘電体層２のアースパターン２ａと第５の誘電体層５のアースパターン５ａを接続するための外部アース電極７が形成されている（図６参照）。
【０００５】
図７に前記した各誘電体層１〜５を積層した積層フィルムを上面から透視した図を示す。Ｍ結パターン４ｃが等価回路のインダクタンスＬ1 、左側の入出力パターン４ｂがインダクタンスＬ2 、同じく右側の入出力パターン４ｂがインダクタンスＬ3 となり、Ｃ結パターン３ｂとストリップラインパターン４ａ1 ，４ａ2 とによって発生するキャパシタンスがＣ1 ，Ｃ2 となり、また、Ｃ結パターン３ｂの突出部とストリップラインパターン４ａ1 とが誘電体を挟んで対向することによって発生するキャパシタンス成分がマルチパスＣ3 となる。さらに、ストリップラインパターン４ａ1 ，４ａ2 とでコンデンサとインダクタンスとからなるＱ12が、また、ストリップラインパターン４ａ2 ，４ａ3 とでコンデンサとインダクタンスとからなるＱ23が形成される。
【０００６】
前記した図７の等価回路を図８に示す。Ｃ1 ，Ｃ2 およびＱ12によって第１のストラップが構成され、Ｌ1 およびＱ23によって第２のトラップが構成され、さらに、第１および第２のトラップとＣ3 とによって第３のトラップが構成される。このような等価回路から得られる周波数特性は図９に示すものとなる。
【発明の開示】
【発明が解決しようとする課題】
【０００７】
ところで、前記した従来における積層フィルタの周波数特性にあっては、共振器間接合と容量結合強化パターンによる並列共振と、マルチパス容量を入れることによってトラップ回路を構成したものにあっては、減衰極が通過帯域の低周波側に１つ、高周波側に２つしかできず、また、フィルタで重要な特性の１つである高周波帯域における減衰特性が十分でないといった問題があった。
【０００８】
本発明は前記した問題点を解決せんとするもので、その目的とするところは、アースパターンから入出力電極の少なくとも１つに向けてパターンを付加することで、ＬＣ直列共振回路を構成することができ、これにより、減衰極を形成することができるので所望の周波数での減衰特性を改善することができる積層フィルタを提供せんとすることにある。
【課題を解決するための手段】
【０００９】
本発明の積層フィルタは前記した目的を達成せんとするもので、その手段は、積層フィルタを構成するアースパターンが形成された誘電体層に、前記アースパターンの少なくとも何れか一方の端部から入出力パターンに向けて延びる突出パターンを形成し、該突出パターンそのものによるインダクタンスと、前記突出パターンと入出力パターンとの間によって形成されるキャパシタンスとの直列共振回路を、等価回路における何れかの入出力端子との間に形成したものである。
【発明の効果】
【００１０】
本発明は前記したように、積層フィルタを構成するアースパターンが形成された誘電体層に、前記アースパターンの少なくとも何れか一方の端部から入出力パターンに向けて延びる突出パターンを形成しことにより、第４のトラップによる減衰極を形成することができ、これにより所望の周波数での減衰特性を改善することができるという効果を有するものである。
【発明を実施するための最良の形態】
【００１１】
本発明は、積層フィルタを構成するアースパターンが形成された誘電体層に、前記アースパターンの少なくとも何れか一方の端部から入出力パターンに向けて延びる突出パターンを形成した。
【実施例１】
【００１２】
以下、本発明に係る積層フィルタの一実施例を図１〜図４と共に説明する。なお、前記した従来例と同一符号は同一部分を示し説明は省略する。
本発明にあっては、図１、尾２に示すように、第５の誘電体層５のアースパターン５ａの中心部分から入出力パターン６′と一部で重なるように突出パターン５ａ1 を延長した点で異なるものである。
【００１３】
この突出パターン５ａ1 を形成することで、図２に示すように突出パターン５ａ1 がインダクタンスとして作用し、また、入出力パターン６′との間ではキャパシタンスが形成されることになる。従って、図３に示す等価回路のように入出力パターン端子にはＬ，Ｃによる直列共振回路が形成されることになるので、図４に示す第４のトラップである減衰極が形成され、この減衰極を形成することで所望の周波数での減衰特性を改善することが可能となるものである。
【００１４】
なお、前記突出パターン５ａ1 はアースパターン５ａの両側に形成する必要はなく、アースパターン５ａの何れか一方から突出パターン５ａ1 を入出力パターン６′に向けて延びるようにしてもよい。また、積層フィルタにおけるパターン形状は前記した実施例に限定されるものではなく、例えば、特開平８−２１３８０５号公報に開示されているようなパターンの積層フィルタにおけるアースパターン２に突出パターンを外部電極１３に向かって延長して形成しても同じように第４のトラップを形成することができるものである。
【図面の簡単な説明】
【００１５】
【図１】本発明の積層フィルタの積層構造を示す説明斜視図である。
【図２】本発明の要部を示す断面図である。
【図３】図１の積層構造による等価回路である。
【図４】同上の等価回路による周波数特性図である。
【図５】従来の積層フィルタの積層構造を示す説明斜視図である。
【図６】同上の誘電体層を積層した実施例の外観斜視図である。
【図７】同上における各パターンの位置関係を示す透視図である。
【図８】図５の積層構造による等価回路である。
【図９】同上の等価回路による周波数特性図である。
【符号の説明】
【００１６】
１〜５      誘電体層
５ａ        アースパターン
５ａ1       突出パターン
６′        入出力パターン
【図１】
2006054598.tif 000003
【図２】
2006054598.tif 000004
【図３】
2006054598.tif 000005
【図４】
2006054598.tif 000006
【図５】
2006054598.tif 000007
【図６】
2006054598.tif 000008
【図７】
2006054598.tif 000009
【図８】
2006054598.tif 000010
【図９】
2006054598.tif 000011